(57)【要約】      （修正有）【課題】所望の電力使用量データを表示部に表示させることが可能な電力量計を提供する。【解決手段】電力量計の表示切替システム１は、電力使用量を記録する電力量計２と、電力量計２に信号を送信する外部機器３を備えて構成される。電力量計２は、電力使用量を表示する表示部２１と、データを送受信する通信部２２と、電力使用量データを記憶する記憶部２３と、電力量計２を制御する制御部２４と、を備える。制御部２４は、外部機器３から送信された信号に基づいて、表示部２１の表示内容を切り替える表示切替手段２４ｂを備える。表示切替手段２４ｂは、現在の電力使用量の測定値から記憶部２３に記憶された電力使用量データに表示を切り替える。外部機器３を操作するだけで、電力量計２の表示部２１の表示を変更することができるため、表示変更に要する時間を待つことなく作業することができる。【選択図】図１
2017049080.tif 000002
【特許請求の範囲】
【請求項１】
電力使用量を記録する電力量計と、前記電力量計に信号を送信する外部機器とを備え、
前記電力量計は、電力使用量を表示する表示部と、データを送受信する通信部と、電力使用量データを記憶する記憶部と、電力量計を制御する制御部と、を備え、
前記制御部は、前記外部機器から送信された信号に基づいて、前記表示部の表示内容を切り替える表示切替手段を備え、
前記表示切替手段は、現在の電力使用量の測定値から前記記憶部に記憶された電力使用量データに表示を切り替えることを特徴とする電力量計の表示切替システム。
【請求項２】
前記記憶部は、所定の計測期間における電力使用量データを記憶することを特徴とする請求項１に記載の電力量計の表示切替システム。
【請求項３】
前記記憶部は、複数の時間帯における所定期間の電力使用量データを記憶することを特徴とする請求項１に記載の電力量計の表示切替システム。
【請求項４】
前記制御部は、電力使用量データを前記外部機器に送信する使用量データ送信手段を備え、
前記使用量データ送信手段は、前記外部機器から送信された信号に基づいて、前記外部機器に電力使用電力のデータを送信することを特徴とする請求項１乃至３のいずれかに記載の電力量計の表示切替システム。
【請求項５】
前記電力量計は、時計を備え、
前記制御部は、前記時計の時刻データを修正する修正手段を備え、データ通信可能に前記時計に接続され、
前記外部機器は、データを通信する通信部と、外部機器本体を制御する機器制御部と、時計と、を備え、
前記機器制御部は、前記時計の時刻データと前記電力量計から受信した時刻データとが所定範囲内の誤差が生じているかを判断する判断手段を有し、データ通信可能に前記外部機器の時計に接続され、
前記判断手段は、誤差が所定範囲内である場合、補正データを前記電力量計に送信し、
前記修正手段は、受信した補正データに基づいて時刻データを修正することを特徴とする電力量計の表示切替システム。
【発明の詳細な説明】
【技術分野】
【０００１】
本発明は、電力使用量を計測する電力量計の表示切替システムに関し、特に、電力使用量を表示する表示部の表示を切り替える表示切替手段を電力量計に備えた電力量計の表示切替システムに関する。
【背景技術】
【０００２】
従来、検針業務は、電力量計の表示部に表示された値を検針ハンディターミナルに記録して行っている。
例えば、夜間や昼間など所定時間帯の電気料金が異なる多時間帯契約や、高圧契約がされている電力量計の表示部は、一定時間ごとに規定の表示が切り替わり、作業者が、それぞれの値を検針ハンディターミナルに記録している。
【０００３】
ところで、電力量計が計測した電力使用量を需要家の室内から確認できるシステムがあり、例えば、電力量計と、検針ハンディターミナルと、検針された使用量データを表示する屋内表示装置と、を有する電力計量器検針・表示システムが開示されている（特許文献１参照）。
【先行技術文献】
【特許文献】
【０００４】
【特許文献１】特開２０１４−１３００１５号公報
【発明の概要】
【発明が解決しようとする課題】
【０００５】
しかしながら、従来の電力量計は、表示部の表示が一定時間で切り替わるため、作業者が検針ハンディターミナルに記録している間に表示が切り替わると、再び所望とする使用量データが表示されるまで作業者が待機しなければならない問題がある。
【０００６】
同様に、作業者が検針ハンディターミナルに記録した後も表示が切り替わる時間までの間は待機しなければならず、円滑に検針業務を行うことができない問題点がある。
このような問題は、需要家の室内で電力使用量を確認することができる特許文献１のシステムにおいても、作業者が需要家の室内に設置された屋内表示装置を外部から視認することはできないため同様に起こり、上記の問題が解決されない。
【０００７】
また、需要家の室内に立ち入るために、需要家の住人の許可を取らなければならず、通常の検針業務よりも時間がかかる恐れがある。
【０００８】
そこで、本発明は係る事情に鑑みてなされたものであり、所望の使用量データを表示部に表示させることが可能な電力量計を提供することを主たる課題としている。
【課題を解決するための手段】
【０００９】
上記課題を達成するために、本発明に係る電力量計の表示切替システムは、電力使用量を記録する電力量計と、前記電力量計に信号を送信する外部機器を備え、前記電力量計は、電力使用量を表示する表示部と、データを送受信する通信部と、電力使用量データを記憶する記憶部と、電力量計を制御する制御部と、を備え、前記制御部は、前記外部機器から送信された信号に基づいて、前記表示部の表示内容を切り替える表示切替手段を備え、前記表示切替手段は、現在の電力使用量の測定値から前記記憶部に記憶された電力使用量データに表示を切り替えることを特徴としている。
【００１０】
電力量計に、表示部の表示内容を変更する表示切替手段を備えることにより、外部機器（検針ハンディターミナル）から信号を送信するだけで、表示部の表示が切り替わるため、作業者の待機時間をなくすことができる。
【００１１】
また、記憶部は、所定の計測期間における電力使用量データを記憶するようにしてもよい。
このように電力量計を構成することで、例えば、当月１日から末日までの電力使用量を算出する高圧契約に用いられる電力量計において、検針ハンディターミナルへの検針値の入力を迅速に行うことができる。
【００１２】
さらに、記憶部は、複数の時間帯における所定期間の電力使用量データを記憶するようにしてもよい。
このように電力量計を構成することで、例えば、夜間料金や昼間料金等、複数の時間帯において契約料金が異なる低圧契約に用いられる電力量計において、検針ハンディターミナルへの検針値の入力を迅速に行うことができる。
【００１３】
さらにまた、制御部は、電力使用量データを前記外部機器に送信する使用量データ送信手段を備え、使用量データ送信手段は、外部機器から送信された信号に基づいて、前記外部機器に電力使用電力のデータを送信するようにしてもよい。
【００１４】
このように電力量計を構成することで、作業者が検針ハンディターミナルに検針値を入力する手間を省くことができる。
【００１５】
また、前記電力量計は、時計を備え、前記制御部は、前記時計の時刻データを修正する修正手段を備え、データ通信可能に前記時計に接続され、前記外部機器は、データを通信する通信部と、外部機器本体を制御する機器制御部と、時計と、を備え、前記機器制御部は、前記時計の時刻データと前記電力量計から受信した時刻データとが所定範囲内の誤差が生じているかを判断する判断手段を有し、データ通信可能に前記外部機器の時計に接続され、前記判断手段は、誤差が所定範囲内である場合、補正データを前記電力量計に送信し、前記修正手段は、受信した補正データに基づいて時刻データを修正するようにしてもよい。
このように電力量計と検針ハンディターミナルとを構成することで、電力量計の時刻データを常に正常な状態に保つことができる。
【発明の効果】
【００１６】
以上述べたように、本発明に係る電力量計の表示切替システムによれば、電力量計が、表示部の表示内容を変更する表示切替手段を備えることにより、検針ハンディターミナルの操作に応じて表示部の表示が切り替わるため、作業者の待機時間をなくし、検針作業を迅速に行うことができる。
【００１７】
また、電力量計が、使用量データ送信手段を備えることにより、作業者が検針ハンディターミナルに検針値を入力する手間を省き、迅速かつ正確な検針作業を実現することができる。
【００１８】
さらに、電力量計の時刻データを常に正常な状態に保つことができるため、正確な料金サービスを提供することが可能となる。
【図面の簡単な説明】
【００１９】
【図１】図１は、電力量計の表示切替システムの全体構成を示すブロック図である。
【図２】図２は、高圧の電力量計の表示状態を示すもので、（ａ）は、検針値を示したもので、（ｂ）は、現在の電力使用量の測定値を示したものである。
【図３】図３は、検針ハンディターミナルの外観を示したもので、（ａ）は、表示部が入力選択画面を表示した場合を示したもので、（ｂ）は、検針値入力画面を表示した場合を示すものである。
【図４】図４は、検針ハンディターミナルの表示部を示したもので、（ａ）は、表示部が入力選択画面を表示した場合を示したもので、（ｂ）は、検針値入力画面を表示した場合を示すもので、（ｃ）は、時刻データ入力画面を示したものである。
【図５】図５は、実施例１における電力量計の表示切替の動作フローを示すフローチャート図である。
【図６】図６は、電力量計の時刻を修正する動作フローを示すフローチャート図である。
【図７】図７は、低圧の電力量計の表示状態を示すもので、（ａ）は、時間帯（１）における検針値を示したもので、（ｂ）は、時間帯（２）における検針値を示したもので、（ｃ）は、時間帯（３）における検針値を示したものである。
【図８】図８は、検針ハンディターミナルの表示部を示したもので、（ａ）は、表示部が入力選択画面を表示した場合を示したもので、（ｂ）は、検針値入力画面表示した場合を示すもので、（ｃ）は、時刻データ入力画面を示したものである。
【図９】図９は、実施例２における電力量計の表示切替の動作フローを示すフローチャート図である。
【発明を実施するための形態】
【実施例１】
【００２０】
以下、本発明に係る電力量計の表示切替システムについて、高圧契約の電力量計を使用した例を図面を参照しながら説明する。
【００２１】
図１において、電力量計の表示切替システム１は、電力使用量を記録する電力量計２と、電力量計２に信号を送信する外部機器（検針ハンディターミナル）３を備えて構成されている。
【００２２】
電力量計２は、電力使用量を表示する表示部２１と、データを送受信する通信部２２と、電力使用量データを記憶する記憶部２３と、電力量計２を制御する制御部２４と、時計２５と、を備えて構成されている。
【００２３】
表示部２１は、図２にも示すように、デジタル表示が可能なディスプレイであり、検針値と（同図（ａ））、現在の電力使用量の測定値と（同図（ｂ））を表示を切り替え可能となっており、所定期間の検針値か現在の電力使用量の測定値であるかの区分を示す区分表示部２１ａと、全日電力量を示す全日電力量表示部２１ｂと、力測定用電力量及び力測定用無効電力量を表示する力測定用電力量表示部２１ｃ、最大需要電力を表示する最大需要電力表示部２１ｄと、現在の日時を示す時刻表示部２１ｅと、から構成されている。
【００２４】
記憶部２３は、ＲＯＭ等の不揮発性メモリから構成され、電力使用量データベース２３ａ（以下、データベースをＤＢとする）が記憶されている。
【００２５】
電力使用量ＤＢ２３ａは、表１に示すように、当月１日から末日までの１ヶ月間の期間の電力使用量データを格納する。電力使用量データは、全日電力量と、最大需要電力と、力測用電力量と、力測用無効電力量と、から構成されている。
【００２６】
【表１】
2017049080.tif 000003
【００２７】
制御部２４は、ＣＰＵ、ＲＯＭ，ＲＡＭから成るコンピュータであり、電力使用量データを生成する電力使用量生成手段２４ａと、外部機器から送信された信号に基づいて表示部２１の表示内容を切り替える表示切替手段２４ｂと、時計２５の時刻データを修正する修正手段２４ｃと、を備える。これらの手段２４ａ，２４ｂ，２４ｃは、実際には、常駐するプログラムによりハードウェア資源との協働により具現される。後述する、検針ハンディターミナル３において実装される機器制御部の各手段も同様である。
【００２８】
時計２５は、デジタル式のもので時刻データを送受信可能に制御部２４に接続されている。
【００２９】
検針ハンディターミナル３は、図３にも示すように、各種データを表示する表示部３１と、検針データ等を入力する入力部３２と、データを通信する通信部３３と、検針ハンディターミナル３本体を制御する機器制御部３４と、時計３５と、電力使用量データを記憶する記憶部３６と、を備えて構成されている。
【００３０】
表示部３１は、図４（ａ）〜（ｃ）に示すように、液晶ディスプレイ等で構成され、入力選択画面（同図（ａ））、検針値入力画面（同図（ｂ））、時刻データ入力画面（同図（ｃ））を表示可能となっている。
【００３１】
同図（ａ）に示すように、入力選択画面は、各時間帯における電力使用量、最大需要電力、力測有効、力測無効、力率、確定日時刻、計器時刻等を選択することが可能となっている。
【００３２】
そして、入力選択画面の項目のいずれかが選択されると、同図（ｂ）に示す検針値入力画面に切り替わるように設定されている。
また、同図（ａ）の入力選択画面において、図示されない計器時刻を選択すると、同図（ｃ）に示す時刻データ入力画面に切り替わるようになっている。
【００３３】
入力部３２は、キーボード、表示部３１のタッチパネルのいずれか単独、又は組み合わせて構成したものである。
【００３４】
機器制御部３４は、ＣＰＵ、ＲＯＭ，ＲＡＭから成るコンピュータであり、電力量計２の表示部２１を変更する表示要求手段３４ａと、時計３５の時刻データと電力量計２から受信した時刻データとが所定範囲内の誤差が生じているかを判断する判断手段３４ｂと、受信又は入力された電力使用量データを記憶部３６に保存するデータ保存手段３４ｃと、を有する。
【００３５】
時計３５は、デジタル式のもので時刻データを送受信可能に機器制御部３４に接続されている。
【００３６】
記憶部３６は、ＲＯＭ等の不揮発性メモリから構成され、検針した電力使用量データが記憶されている。
【００３７】
以上で説明した電力量計２について、図５を参照して電力量計２の表示切替の動作例を説明する。
【００３８】
なお、ここで示される処理例は、電力量計２及び検針ハンディターミナル３で読み取ることが可能な制御プログラムをＣＤ−ＲＯＭ等の記憶媒体を介して供給することにより、或いは、ネットワークを介して配信すること等によって、電力量計２及び検針ハンディターミナル３にインストールし、このインストールされた制御プログラムを実行させることで行われる。
【００３９】
電力量計２の電力使用量生成手段２４ａは、当月末日の２４時になると、当該１ヶ月間の電力使用量データを生成し、記憶部２３の電力使用量ＤＢ２３ａに記憶する。
【００４０】
検針ハンディターミナル３の入力選択画面において、作業者によって所望のデータが選択されると（図４（ａ）参照）、表示要求手段３４ａは、通信部３３から信号を発信する（ステップＳ０１）。
【００４１】
電力量計２の表示切替手段２４ｂは、信号を受信すると（ステップＳ０２：Ｙ）、電力使用量ＤＢ２３ａから電力使用量データを読み出し、現在の電力使用量の測定値から表示部２１の表示を切り替え（ステップＳ０３）（図２（ａ）参照）、電力使用量データを検針ハンディターミナル３に送信する（ステップＳ０４）。
【００４２】
検針ハンディターミナル３のデータ保存手段３４ｃは、電力使用量データを受信すると（ステップＳ０５：Ｙ）、表示部３１に電力使用量データを表示すると共に、記憶部３６に電力使用量データを記憶する（ステップＳ０６）（図４（ｂ）参照）。
【００４３】
ここで、電力量計２から電力使用量データが検針ハンディターミナル３に送信されるように構成したが、作業者が、電力量計２の表示部２１を読み取り、入力部３２より入力するようにしてもよい。
【００４４】
次いで電力量計２の時刻を修正する動作例について、図６を参照して説明する。
作業者は、検針ハンディターミナル３の入力部３２により、電力量計２に表示されている時刻を時刻データとして入力する（図４（ｃ）参照）。
【００４５】
検針ハンディターミナル３の判断手段３４ｂは、時刻データが入力されると、検針ハンディターミナル３の時計３５の時刻データと、入力された時刻データを比較して、誤差があるか判断し（ステップＳ１１）、誤差があると判断した場合（ステップＳ１１：Ｙ）、その誤差が６分以上１０分未満の誤差範囲内であるかを判断する（ステップＳ１２）。
【００４６】
ステップＳ１２において、当該誤差範囲内であると判断した場合は（ステップＳ１２：Ｙ）、判断手段３４ｂは、検針ハンディターミナル３の時刻データを補正データとして電力量計２に送信する（ステップＳ１３）。
【００４７】
電力量計２の修正手段２４ｃは、時刻データを受信すると、電力量計２の時計２５の時刻データを受信した時刻データに置き換えて（上書きして）時刻を修正する（ステップＳ１４）。
【００４８】
ステップＳ１１の判断において、誤差がないと判断した場合（ステップＳ１１：Ｎ）、電力量計の表示切替システム１は、動作を終了する（ステップＳ１５）。
【００４９】
また、ステップＳ１２の判断において、当該誤差範囲を越えている場合は（ステップＳ１２：Ｎ）、表示部３１に「誤差範囲以上の誤差がアリ」と表示する（ステップＳ１６）。
【００５０】
なお、本実施例においては、時刻データは、作業者により入力するように構成したが、ステップＳ０２の判断において信号を受信したことを受けて、電力量計２から時刻データが外部機器に送信されるように構成してもよい。
【００５１】
以上述べたように、本発明に係る電力量計の表示切替システム１によれば、電力量計２が、表示部２１の表示内容を変更する表示切替手段２４ｂを備えることにより、検針ハンディターミナル３の操作に応じて表示部２１の表示が切り替わるため、作業者の待機時間をなくし、検針作業を迅速に行うことができる。
【００５２】
また、電力量計２が、電力使用量データ送信手段を備えることにより、作業者が検針ハンディターミナル３に検針値を入力する手間を省き、迅速かつ正確な検針作業を実現することができる。
【００５３】
さらに、電力量計２の時計２５を常に正常な状態に保つことができるため、正確な料金サービスを提供することが可能となる。
【実施例２】
【００５４】
上述の実施例では、高圧契約の電力量計２を使用した例を説明したが、次に低圧契約の電力量計２を使用した例を説明する。なお、実施例１で同一の構成箇所には同一符号を付して説明を省略する。
【００５５】
電力量計２の表示部２１は、図７にも示すように、デジタル表示が可能なディスプレイであり、時間帯（１）の検針値と（同図（ａ））、時間帯（２）の検針値と（同図（ｂ））と、時間帯（３）の検針値と（同図（ｃ））と、現在の測定値とを（図示せず）の表示を切り替え可能となっており、表示時間帯を示す時間帯表示部２１ｆと、電力量を表示する電力量表示部２１ｇと、現在の日時を示す時刻表示部２１ｈと、から構成されている。
【００５６】
電力量計２の電力使用量ＤＢ２３ａは、表２に示すように、前回の検針値から外部機器からの信号を受信するまでの期間についての電力使用量データを記憶する。
【００５７】
ここで、電力使用量データは、複数の時間帯に分けて前回検針日から今回検針日までの約１ヶ月間の電力使用量を記憶したもので、本実施例においては、２４時間を３つの時間帯（１）、（２）、（３）に分け、それぞれの時間帯における電力使用量を記憶したものである。
【００５８】
具体的には、時間帯（１）は、１０時から１７時まで、時間帯（２）は、８時から１０時まで及び１７時〜２３時まで、時間帯（３）は、２３時から８時までの時間帯を表している。
【００５９】
【表２】
2017049080.tif 000004
【００６０】
検針ハンディターミナル３の表示部３１は、図８（ａ）〜（ｃ）に示すように、上述のように入力選択画面（同図（ａ））、検針値入力画面（同図（ｂ））、時刻データ入力画面（同図（ｃ））を表示可能となっている。
【００６１】
同図（ａ）に示すように、入力選択画面は、各時間帯における電力使用量と、計器時刻等を選択することが可能となっている。
そして、入力選択画面の項目のいずれかが選択されると、同図（ｂ）に示す検針値入力画面に切り替わるように設定されている。
【００６２】
また、同図（ａ）の入力選択画面において、計器時刻を選択すると、同図（ｃ）に示す時刻データ入力画面に切り替わるようになっている。
以上で説明した電力量計２について、図９を参照して動作例を説明するが、電力量計２の表示切替動作については、ステップＳ２１〜ステップＳ２２は、ステップＳ０１〜ステップＳ０２と同一の処理であるので説明を省略する。
【００６３】
検針ハンディターミナル３の入力選択画面において、作業者によって時間帯（１）が選択されると（図８（ａ）参照）、ステップＳ０１〜０２の処理が実行される。
【００６４】
電力量計２の電力使用量生成手段２４ａは、信号を受信すると（ステップＳ２２：Ｙ）、前回検針日から信号受信した時までの電力使用量データを生成し、記憶部２３の電力使用量ＤＢ２３ａに記憶する（ステップＳ２３）。
【００６５】
電力量計２の表示切替手段２４ｂは、電力使用量ＤＢ２３ａから時間帯（１）の電力使用量データを読み出し、現在の電力使用量の測定値から表示部２１の表示を切り替え（ステップＳ２４）（図７（ａ）参照）、時間帯（１）の電力使用量データを検針ハンディターミナル３に送信する（ステップＳ２５）。
【００６６】
検針ハンディターミナル３のデータ保存手段３４ｃは、電力使用量データを受信すると（ステップＳ２６：Ｙ）、表示部２１に電力使用量データを表示すると共に、記憶部３６に電力使用量データを記憶する（ステップＳ２７）（図８（ｂ）参照）。
【００６７】
なお、時間帯（２）、（３）の電力使用量データに表示を切り替える場合は、検針ハンディターミナル３の入力選択画面において、所望の時間帯を選択することで、上記の処理が同様にして行われる。
【符号の説明】
【００６８】
１  表示切替システム
２  電力量計
２１  表示部
２２  通信部
２３  記憶部
２４  制御部
２５  時計
２４ｂ  表示切替手段
２４ｃ  修正手段
３  外部機器（検針ハンディターミナル）
３３  通信部
３４  機器制御部
３５  時計
３４ｂ  判断手段
【図１】
2017049080.tif 000005
【図２】
2017049080.tif 000006
【図３】
2017049080.tif 000007
【図４】
2017049080.tif 000008
【図５】
2017049080.tif 000009
【図６】
2017049080.tif 000010
【図７】
2017049080.tif 000011
【図８】
2017049080.tif 000012
【図９】
2017049080.tif 000013